(57)【要約】【課題】発信処理の実行時の操作性を向上させること。【解決手段】１つの態様において、発信先の電話番号が発信元の電話番号と同一であると判定した場合、前記発信先の電話番号に対応する発信処理を実行しない。また、１つの態様において、操作部（例えばタッチスクリーン２Ｂ）と、通信部（例えば、第１通信ユニット６Ａ、第２通信ユニット６Ｂ）と、制御部（例えばコントローラ１０）とを有する。制御部は、通信部（例えば、第１通信ユニット６Ａまたは第２通信ユニット６Ｂ）を用いた発呼操作を操作部（例えばタッチスクリーン２Ｂ）で検出し、発呼操作で決定された発呼先の電話番号が通信部（例えば、第１通信ユニット６Ａまたは第２通信ユニット６Ｂ）に割り当てられた電話番号であると判定した場合、発呼操作に対応する発信処理を実行しない。【選択図】図５
2013243612.tif 000002
【特許請求の範囲】
【請求項１】
発信先の電話番号が発信元の電話番号と同一であると判定した場合、前記発信先の電話番号に対応する発信処理を実行しない通信装置。
【請求項２】
操作部と、
通信部と、
前記通信部を用いた発呼操作を前記操作部で検出し、前記発呼操作で決定された発呼先の電話番号が前記通信部に割り当てられた電話番号であると判定した場合、前記発呼操作に対応する発信処理を実行しない制御部と、を有する通信装置。
【請求項３】
前記通信部は、第１の通信方式を用いて通信を行う第１の通信ユニットと、第２の通信方式を用いて通信を行う第２の通信ユニットと、を含み、
前記制御部は、前記第１通信ユニットを用いた発呼操作を前記操作部で検出し、前記発呼操作で決定された発呼先の電話番号が前記第２の通信ユニットに割り当てられた電話番号であると判定した場合、前記発呼操作に対応する発信処理を実行しない請求項２に記載の通信装置。
【請求項４】
前記通信部に割り当てられた電話番号を記憶する記憶部をさらに有し、
前記制御部は、前記記憶部に記憶されている電話番号と、前記発呼操作で決定された発呼先の電話番号とが一致する場合、前記発呼操作に対応する発信処理を実行しない請求項２または３に記載の通信装置。
【請求項５】
前記通信部に割り当てられた電話番号を含む電話番号の判定テーブルを記憶する記憶部をさらに有し、
前記制御部は、前記判定テーブルの電話番号と、前記発呼操作で決定された発呼先の電話番号とが一致する場合、前記発呼操作に対応する発信処理を実行しない請求項２または３に記載の通信装置。
【請求項６】
前記判定テーブルは、さらに前記通信部に割り当てられた電話番号以外の電話番号を含む請求項５に記載の通信装置。
【請求項７】
表示部をさらに有し、
前記制御部は、前記発呼操作で決定された発呼先の電話番号が前記通信部に割り当てられた電話番号であると判定した場合、前記表示部に発信先が自端末の電話番号であることを示す画像を表示させる請求項２から６のいずれか一項に記載の通信装置。
【請求項８】
前記電話番号は、公衆交換電話網の番号と内線電話網の番号とを含み、
前記制御部は、前記発呼操作で決定された発呼先の電話番号の公衆交換電話網の番号及び内線電話網の番号と、前記通信部に割り当てられた電話番号の公衆交換電話網の番号及び内線電話網の番号とが一致した場合、前記発呼操作に対応する発信処理を実行せず、
前記発呼操作で決定された発呼先の電話番号の内線電話網の番号と、前記通信部に割り当てられた電話番号の内線電話網の番号とが異なる場合、前記発呼操作に対応する発信処理を実行する請求項２から７のいずれか一項に記載の通信装置。
【請求項９】
発信先の電話番号が発信元の電話番号と同一であると判定した場合、前記発信先の電話番号に対応する発信処理を実行しない通信方法。
【請求項１０】
操作部と通信部とを有する通信装置を制御する方法であって、
前記通信部を用いた発呼操作を前記操作部で検出するステップと、
前記発呼操作で決定された発呼先の電話番号が前記通信部に割り当てられた電話番号であると判定した場合、前記発呼操作に対応する発信処理を実行しないステップと、
を含む通信方法。
【請求項１１】
発信先の電話番号が発信元の電話番号と同一であると判定した場合、前記発信先の電話番号に対応する発信処理を実行しないよう通信装置を実行させる通信プログラム。
【請求項１２】
操作部と通信部とを有する通信装置に、
前記通信部を用いた発呼操作を前記操作部で検出するステップと、
前記発呼操作で決定された発呼先の電話番号が前記通信部に割り当てられた電話番号であると判定した場合、前記発呼操作に対応する発信処理を実行しないステップと、
を実行させる通信プログラム。
【発明の詳細な説明】
【技術分野】
【０００１】
本出願は、通信装置、通信方法、及び通信プログラムに関する。特に、本出願は、タッチスクリーンを有する通信装置、その通信装置を制御する方法、及びその通信装置を制御するためのプログラムに関する。
【背景技術】
【０００２】
通信装置としては、携帯電話機や、ＰＨＳ等の持ち運び可能な携帯電話機がある。このような通信装置としては、タッチスクリーンを備えるタッチスクリーンデバイスが知られている。タッチスクリーンデバイスは、例えば、スマートフォンを含むが、これに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【０００４】
ここで、携帯電話機や、ＰＨＳ等の通信装置は、契約した通信事業者により提供される通信ネットワークを利用して、他の端末との間で通話を含む通信を行うことができる。さらに、通信装置の中には、通話を行う場合に、使用する通信回線を複数の通信回線の中から選択できるものがある。通信装置は、発信処理を実行し、他の通信装置に電話をかけることで、通話を実行することができる。
【先行技術文献】
【特許文献】
【０００５】
【特許文献１】国際公開第２００８／０８６３０２号
【発明の概要】
【発明が解決しようとする課題】
【０００６】
上記のことから、発信処理の実行時の操作性を向上させる通信装置、通信方法、及び通信プログラムに対するニーズがある。
【課題を解決するための手段】
【０００７】
１つの態様に係る通信装置は、発信先の電話番号が発信元の電話番号と同一であると判定した場合、前記発信先の電話番号に対応する発信処理を実行しない。
【０００８】
１つの態様に係る通信装置は、操作部と、通信部と、前記通信部を用いた発呼操作を前記操作部で検出し、前記発呼操作で決定された発呼先の電話番号が前記通信部に割り当てられた電話番号であると判定した場合、前記発呼操作に対応する発信処理を実行しない制御部と、を有する。
【０００９】
１つの態様に係る通信方法は、操作部と通信部とを有する通信装置を制御する方法であって、前記通信部を用いた発呼操作を前記操作部で検出するステップと、前記発呼操作で決定された発呼先の電話番号が前記通信部に割り当てられた電話番号であると判定した場合、前記発呼操作に対応する発信処理を実行しないステップと、を含む。
【００１０】
１つの態様に係る通信方法は、発信先の電話番号が発信元の電話番号と同一であると判定した場合、前記発信先の電話番号に対応する発信処理を実行しない。
【００１１】
１つの態様に係る通信プログラムは、操作部と通信部とを有する通信装置に、前記通信部を用いた発呼操作を前記操作部で検出するステップと、前記発呼操作で決定された発呼先の電話番号が前記通信部に割り当てられた電話番号であると判定した場合、前記発呼操作に対応する発信処理を実行しないステップと、を実行させる。
【００１２】
１つの態様に係る通信プログラムは、発信先の電話番号が発信元の電話番号と同一であると判定した場合、前記発信先の電話番号に対応する発信処理を実行しないよう通信装置を実行させる。
【図面の簡単な説明】
【００１３】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、ディスプレイに表示される通話設定インターフェースの一例を示す図である。
【図７】図７は、ＰＨＳ方式による通話に関する操作を受け付けるためのユーザーインターフェースの一例を示す図である。
【図８】図８は、３Ｇ方式による通話に関する操作を受け付けるためのユーザーインターフェースの一例を示す図である。
【図９】図９は、制御プログラムが提供する機能に基づく制御の例について説明するための図である。
【図１０】図１０は、実施形態に係るスマートフォンが行う制御の処理手順を示すフローチャートである。
【図１１】図１１は、実施形態に係るスマートフォンが表示させる画面の一例を示す図である。
【図１２】図１２は、実施形態に係るスマートフォンが行う制御の処理手順を示すフローチャートである。
【発明を実施するための形態】
【００１４】
本出願に係る通信装置、通信方法、及び通信プログラムを実施するための実施形態を、図面を参照しつつ詳細に説明する。以下では、タッチスクリーンを備える通信装置の例として、スマートフォンについて説明する。
【００１５】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１６】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１７】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１８】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１９】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト（接触物）」と呼ぶことがある。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００２１】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２２】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２３】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２４】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２５】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２６】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２７】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２８】
本実施形態では、１本の指により行われるジェスチャを「シングルタッチジェスチャ」と呼ぶことがある。本実施形態では、２本以上の指により行われるジェスチャを「マルチタッチジェスチャ」と呼ぶことがある。ピンチインおよびピンチアウトは、マルチタッチジェスチャである。タップ、フリックおよびスワイプ等は、１本の指で行われればシングルタッチジェスチャであり、２本以上の指で行われればマルチタッチジェスチャである。
【００２９】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００３０】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３１】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００３２】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００３３】
スマートフォン１は、複数のホーム画面４０を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００３４】
スマートフォン１は、ディスプレイ２Ａに表示するホーム画面を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００３５】
ディスプレイ２Ａの上端には、領域４２が設けられている。領域４２には、電源の残量を示す残量マーク４３、第１通信ユニット６Ａを用いた通信用の電波の電界強度を示す電波レベルマーク４４ａ及び第２通信ユニット６Ｂを用いた通信用の電波の電界強度を示す電波レベルマーク４４ｂが表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３６】
ディスプレイ２Ａに表示される画面の上下方向について説明する。以下の説明では、タッチスクリーンディスプレイ２の長手方向において領域４２に近い側が上側であり、領域４２から遠い側が下側である。そして、領域４２において電波レベルマーク４４ａ、４４ｂが表示されている側が右側であり、領域４２において残量マーク４３が表示されている側が左側である。
【００３７】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３８】
図５は、スマートフォン１のブロック図である。スマートフォン１は、タッチスクリーンディスプレイ２と、ボタン３と、照度センサ４と、近接センサ５と、第１通信ユニット６Ａ及び第２通信ユニット６Ｂと、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、発光部１８と、バイブレータ１９とを有する。
【００３９】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４０】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００４１】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４２】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００４３】
第１通信ユニット６Ａ及び第２通信ユニット６Ｂは、無線により通信する。第１通信ユニット６Ａ及び第２通信ユニット６Ｂによってサポートされる通信方式は、無線通信規格である。本実施形態において、第１通信ユニット６Ａは、第１の通信方式を用いて通信を行う第１の通信手段であり、第１の通信方式として、少なくとも、ＰＨＳ（Ｐｅｒｓｏｎａｌ  Ｈａｎｄｙ−ｐｈｏｎｅ  Ｓｙｓｔｅｍ）でサポートされる。第２通信ユニット６Ｂは、第２の通信方式を用いて通信を行う第２の通信手段であり、第２の通信方式として、３Ｇの通信規格でサポートされる。具体的には、第２通信ユニット６Ｂは、少なくとも、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、の１つ又は複数をサポートする。なお、無線通信規格は、上記に限定されず、例えば、２Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。
【００４４】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４５】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４６】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、第１通信ユニット６Ａ及び第２通信ユニット６Ｂによる無線通信又は非一過的な記憶媒体を介してストレージ９にインストールされてもよい。
【００４７】
ストレージ９は、例えば、制御プログラム９Ａ、メールアプリケーション９Ｂ、ブラウザアプリケーション９Ｃ、ナビゲートアプリケーション９Ｄ、音楽プレイヤーアプリケーション９Ｅ、カレンダーアプリケーション９Ｆ、計算機アプリケーション９Ｇ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。音楽プレイヤーアプリケーション９Ｅは、音楽を再生し、レシーバ７またはスピーカ１１から出力するためのプレイヤー機能を提供する。カレンダーアプリケーション９Ｆは、スケジュール管理等のためのカレンダー機能を提供する。計算機アプリケーション９Ｇは、例えば四則演算を行うための計算機機能を提供する。設定データ９Ｚは、スマートフォン１の動作に関する各種の設定に関する情報を含む。例えば、設定データ９Ｚは、第１通信ユニット６Ａなどを制御することによって実現される通話、又は第２通信ユニット６Ｂなどを制御することによって実現される通話のいずれを行うかの設定に関する情報、第１通信ユニット６Ａ及び第２通信ユニット６Ｂの通話通信の各種処理条件などを含む。設定データ９Ｚは、自端末の電話番号、つまり第１通信ユニット６Ａに割り当てられている電話番号（以下、第１通信ユニット６Ａの電話番号ともいう。）及び第２通信ユニット６Ｂに割り当てられている電話番号（以下、第２通信ユニット６Ｂの電話番号ともいう。）の情報も含む。以下では、説明の便宜上、第１通信ユニット６Ａなどを制御することによって実現される通話の発信処理、つまり発呼処理を「ＰＨＳ発信」と表記する。第１通信ユニット６Ａなどを制御することによって実現される通話を「ＰＨＳ方式を利用する通話」と表記する。第２通信ユニット６Ｂなどを制御することによって実現される通話の発信処理、つまり発呼処理を「３Ｇ発信」と表記し、第２通信ユニット６Ｂなどを制御することによって実現される通話を「３Ｇ方式を利用する通話」と表記する。
【００４８】
制御プログラム９Ａは、スマートフォン１を稼働させるための各種制御に関する機能を提供する。制御プログラム９Ａは、例えば、第１通信ユニット６Ａ、第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。制御プログラム９Ａが提供する機能には、第１通信ユニット６Ａ及び第２通信ユニット６Ｂで行う通信を制御する機能、特に通話通信を制御する機能が含まれる。具体的には、制御プログラム９Ａが提供する機能には、第１通信ユニット６Ａまたは第２通信ユニット６Ｂの２つの通信ユニットで発呼（発信ともいう）時に、発呼先（発信先）の電話番号に基づいて、発信処理を制御する機能が含まれる。制御プログラム９Ａが提供する機能には、タッチスクリーン２Ｂに３Ｇ発信を開始するための操作が受け付けられたときに、３Ｇ発信を行うことを報知する機能が含まれる。制御プログラム９Ａが提供する機能には、ＰＨＳ方式と３Ｇ方式とを切り換える操作を受け付けるユーザーインターフェースを提供する機能が含まれる。制御プログラム９Ａが提供する機能には、ＰＨＳ回線による通話に関する操作を受け付けるためのユーザーインターフェースを提供する機能が含まれる。制御プログラム９Ａが提供する機能には、３Ｇ回線による通話に関する操作を受け付けるためのユーザーインターフェースを提供する機能が含まれる。
【００４９】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００５０】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、第１通信ユニット６Ａ及び第２通信ユニット６Ｂ、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、レシーバ７、カメラ１２、カメラ１３、加速度センサ１５、方位センサ１６、及びジャイロスコープ１７を含むが、これらに限定されない。
【００５１】
コントローラ１０は、例えば、制御プログラム９Ａを実行することにより、２つの第１通信ユニット６Ａ及び第２通信ユニット６Ｂで行う通信の制御、特に通話通信の制御を実行することができる。コントローラ１０は、制御プログラム９Ａを実行することにより、第１通信ユニット６Ａまたは第２通信ユニット６Ｂの２つの通信ユニットで発呼（発信ともいう）時に、発呼先（発信先）の電話番号に基づいて、発信処理を制御する。コントローラ１０は、制御プログラム９Ａを実行することにより、タッチスクリーン２Ｂに通信を開始するための操作が受け付けられたときに、ＰＨＳ回線及び３Ｇ回線のうちいずれの回線を用いて通信を開始するかを報知する等の各種制御を実行する。
【００５２】
カメラ１２は、フロントフェイス１Ａに面している物体を撮影するインカメラである。カメラ１３は、バックフェイス１Ｂに面している物体を撮影するアウトカメラである。
【００５３】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５４】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。発光部１８は、例えば、ＬＥＤ（Ｌｉｇｈｔ  Ｅｍｉｔｔｉｎｇ  Ｄｉｏｄｅ）であり、複数の色で発光する。バイブレータ１９は、振動するモーターである。
【００５５】
図５においてストレージ９が記憶するプログラム及びデータの一部又は全部は、第１通信ユニット６Ａ及び第２通信ユニット６Ｂの少なくとも一方による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５６】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５７】
以下、図６から図１２を用いて、スマートフォン１の通話動作で実行される処理について説明する。まず、図６から図９を用いて、スマートフォン１の発呼時の動作について説明する。図６は、ディスプレイに表示される通話設定インターフェースの一例を示す図である。図７は、ＰＨＳ方式による通話に関する操作を受け付けるためのユーザーインターフェースの一例を示す図である。図８は、３Ｇ方式による通話に関する操作を受け付けるためのユーザーインターフェースの一例を示す図である。図９は、制御プログラムが提供する機能に基づく制御の例について説明するための図である。
【００５８】
スマートフォン１は、図６に示す通話設定インターフェース４５をユーザが操作することにより、ＰＨＳ方式か、３Ｇ方式の通信方式が設定される。つまり、ユーザは、図６に示す通話設定インターフェース４５を操作することにより、発呼時の通信方式の確認通知を表示させるか否かを設定できる。通話設定インターフェース４５の設定に関する情報は、ストレージ９に記憶されている設定データ９Ｚに含まれる。
【００５９】
図７に示すように、ＰＨＳ方式による通話に関する操作を受け付けるためのユーザーインターフェース４６は、ＳＭＳ（Ｓｈｏｒｔ  Ｍｅｓｓａｇｅ  Ｓｅｒｖｉｃｅ）、電話帳、キーパッド、発着信履歴などの各種機能に対応する操作部を有する。図７は、ディスプレイ２Ａにキーパッドが表示されている例であり、発呼操作を行うための操作部４６ａの画像が「発信（ＰＨＳ）」となっている。図７に示すユーザーインターフェース４６は、通信方式として通話設定インターフェース４５上でＰＨＳ方式が設定されている場合に、通話機能に対応するアイコン５０に対する操作に伴ってディスプレイ２Ａに表示される。
【００６０】
図８に、３Ｇ方式による通話に関する操作を受け付けるためのユーザーインターフェースの一例を示す。図８に示すように、３Ｇ方式による通話に関する操作を受け付けるためのユーザーインターフェース４７は、ＳＭＳ、電話帳、キーパッド、発着信履歴などの各種機能に対応する操作部を有する。図８では、ディスプレイ２Ａにキーパッドが表示されている例であり、発呼操作を行うための操作部４７ａの画像が「発信（３Ｇ）」となっている。図８に示すユーザーインターフェース４７は、通信方式として通話設定インターフェース４５上で３Ｇ方式が設定されている場合に、通話機能に対応するアイコン５０に対する操作に伴ってディスプレイ２Ａに表示される。
【００６１】
図７に示すユーザーインターフェース４６と、図８に示すユーザーインターフェース４７は、基本的には同様の構成を有しており、発信種別に応じて、キーパッド上の発信ボタンの画像が変更される点だけが異なる。
【００６２】
図９は、３Ｇ発信を開始するための操作として、例えば、ＰＨＳ方式から３Ｇ方式に通信方式を切り替える操作が行われたときに、３Ｇ発信するか否かの確認通知をディスプレイ２Ａに表示する制御の例を示している。
【００６３】
図９に示すステップＳ１１は、ディスプレイ２Ａに、ＰＨＳ方式による通話に関する操作を受け付けるためのユーザーインターフェース４６が表示された状態を示している。図９に示すステップＳ１２は、ユーザーインターフェース４６の上から下へ、ユーザの指Ｆ１によるスワイプが開始されようとしている状態を示している。図９に示すステップＳ１３は、ディスプレイ２Ａに通話設定インターフェース４５が表示された、スワイプ直後のディスプレイ２Ａの状態を示している。図９に示すステップＳ１４は、ユーザの指Ｆ１が、通話設定インターフェース４５上の３Ｇと表記された箇所にタッチした状態を示している。図９に示すステップＳ１５は、通話設定インターフェース４５上の３Ｇと表記された箇所の色が反転した、タッチ直後のディスプレイ２Ａの状態を示している。図９に示すステップＳ１６は、通話設定インターフェース４５の下から上へ、ユーザの指Ｆ１によるスワイプが開始されようとしている状態を示している。図９に示すステップＳ１７は、３Ｇ方式による通話に関する操作を受け付けるためのユーザーインターフェース４７がディスプレイ２Ａに表示されるとともに、３Ｇ発信するか否かをユーザに報知する確認通知４７ｂが表示された、スワイプの直後の状態を示している。
【００６４】
スマートフォン１は、例えば、通話機能に対応するアイコンに対する操作が行われると、ステップＳ１１に示すように、第１通信ユニット６Ａを起動し、ディスプレイ２Ａにユーザーインターフェース４６を表示させる。
【００６５】
スマートフォン１は、ステップＳ１２に示すように、タッチスクリーン２Ｂにより、ユーザーインターフェース４６上を上から下へなぞるスワイプが検出されると、ステップＳ１３に示すように、ディスプレイ２Ａに表示されている画面を、ユーザーインターフェース４６から通話設定インターフェース４５に切り替えて表示させる。
【００６６】
スマートフォン１は、ステップＳ１４に示すように、タッチスクリーン２Ｂにより、通話設定インターフェース４５上の３Ｇと表記された箇所へのタッチが検出されると、ステップＳ１５に示すように、通話設定インターフェース４５上の３Ｇの位置の色を反転させる。そして、スマートフォン１は、通信方式をＰＨＳ方式から３Ｇ方式へと切り替える。スマートフォン１は、ストレージ９の設定データ９Ｚに記憶されている通信方式に関する情報を、ＰＨＳ方式から３Ｇ方式に更新する。
【００６７】
スマートフォン１は、ステップＳ１６に示すように、タッチスクリーン２Ｂにより、通話設定インターフェース４５上を下から上へなぞるスワイプが検出されると、ステップＳ１７に示すように、ディスプレイ２Ａに表示されている画面を、通話設定インターフェース４５からユーザーインターフェース４７に切り替えて表示させるとともに、３Ｇ発信の確認通知４７ｂを表示させる。スマートフォン１は、確認通知４７ｂ上の「ＯＫ」と表記されている箇所への操作が検出されると、３Ｇ発信が許可されたものと判定する。これとは反対に、スマートフォン１は、確認通知４７ｂ上の「ｃａｎｃｅｌ」と表記されている箇所への操作が検出されると、３Ｇ発信が許可されなかったものと判定する。
【００６８】
スマートフォン１は、図９に示す処理で通話通信に用いる通信方式が決定された後、通話通信の発呼操作が入力された場合、当該設定された通信方式を用いて、つまり、当該通信方式に対応する第１通信ユニット６Ａまたは第２通信ユニット６Ｂを用いて、発呼処理を実行する。ここで、スマートフォン１は、３Ｇ発信が設定され、操作部４７ａが操作された場合、確認通知４７ｂを表示させ、通話発信（発呼）を３Ｇ発信で実行するかを再度問い合わせることが好ましい。
【００６９】
そこで、３Ｇ方式及びＰＨＳ方式を併用可能な通信サービスの提供が考えられる。この通信サービスでは、３Ｇ方式を用いて通信を行うことで高速なデータ通信を実現し、ＰＨＳ方式を用いて通話を行うことで低料金を実現できる。上述してきたように、スマートフォン１は、第１通信ユニット６Ａ及び６Ｂを有し、第１通信ユニット６Ａ及び６Ｂなどを制御することにより、３Ｇ方式を用いた通信、及びＰＨＳ方式を用いた通信を併用可能な通信サービスに対応した処理を行うことができる。具体的には、スマートフォン１は、図９に示すように、通信方式がＰＨＳ方式から３Ｇ方式に切り替えられたときに、３Ｇ発信するか否かをユーザに報知する確認通知４７ｂを表示させる。このため、スマートフォン１は、発信時に、ユーザに通信方式を再認識させることができる。結果として、ユーザに、通信料金を自己管理させることもできる。
【００７０】
次に、図１０から図１２を用いて、スマートフォン１が通話通信で実行する制御、具体的には、発信操作（発呼操作）を検出した場合に実行する制御の一例について説明する。図１０は、実施形態に係るスマートフォンが行う制御の処理手順を示すフローチャートである。図１１は、実施形態に係るスマートフォンが表示させる画面の一例を示す図である。図１２は、実施形態に係るスマートフォンが行う制御の処理手順を示すフローチャートである。図１０及び図１２に示す処理手順は、コントローラ１０が、制御プログラム９Ａを実行することによって実現される。
【００７１】
コントローラ１０は、ステップＳ２０として、発呼操作を検出する。具体的には、発呼操作を行うための操作部４６ａ、４７ａに対するタッチジェスチャを検出する。コントローラ１０は、ステップＳ２０で発呼操作を検出した場合、ステップＳ２２として、発呼先の電話番号を抽出する。つまり、コントローラ１０は、発呼操作で電話をかける対象となっている電話番号の情報を抽出する。
【００７２】
コントローラ１０は、ステップＳ２２で電話番号を抽出したら、ステップＳ２４として自端末の電話番号と一致するかを判定する。自端末の電話番号は、上述したようにストレージ９の設定データ９Ｚに記憶されている。本実施形態の自端末の電話番号は、第１通信ユニット６Ａの電話番号と、第２通信ユニット６Ｂの電話番号とである。
【００７３】
コントローラ１０は、ステップＳ２４で自端末の電話番号と一致する（Ｙｅｓ）つまり、発呼先の電話番号が自端末の電話番号であると判定した場合、ステップＳ２６として、発信失敗画面を表示し、本処理を終了する。つまり、コントローラ１０は、発呼先への発信動作を行わず、つまり通信網に対して信号の送信をせずに、発信失敗画面を表示して、本処理を終了する。
【００７４】
図１１を用いて発信失敗画面の一例を説明する。図１１に示す発信失敗画面８０は、ユーザーインターフェース４６に重ねて表示されている。発信失敗画面８０は、メッセージ８２を含む。メッセージ８２は、発信先が自端末の電話番号であることを示す画像であり、「自端末の電話番号です。発信できません。」という文章である。コントローラ１０は、発信失敗画面８０をユーザーインターフェース４６に重ねてタッチスクリーン２Ｂに表示させることで、ユーザに発呼していないことを通知することができる。
【００７５】
コントローラ１０は、ステップＳ２４で自端末の電話番号と一致しない（Ｎｏ）つまり、発呼先の電話番号が自端末の電話番号ではないと判定した場合、ステップＳ２８として、通信網への発信を行い、本処理を終了する。なお、コントローラ１０は、通信網への発信を行った後、通話動作時に実行される各種制御を実行し、発呼先の通信装置で受話操作が行われたことを検出したら、発呼先との通話を開始させる。
【００７６】
このように、スマートフォン１は、発呼先の電話番号が自端末の電話番号と一致するかを判定し、一致する場合、通信網への発信をせずに、発信失敗画面８０を表示させることで、通信時の操作性、具体的には発呼操作時に操作性を向上させることができる。つまり、電話をかける意味が薄い自端末への発呼が実行されることを抑制することができる。
【００７７】
また、本実施形態のスマートフォン１のように、通信方式が異なる２つの通信ユニットを備え、それぞれの通信ユニットに別々の電話番号が割り当てられている場合でも、一方の通信ユニットから他方の通信ユニットに電話がかからないようにすることができる。つまり、一方の通信ユニットから他方の通信ユニットに電話をかける場合、電話番号が異なり、かつ通信ユニットが異なるため、それぞれの通信網を介して一方の通信ユニットから出力された発呼の信号が他方の通信ユニットに着呼として到達することが可能である。スマートフォン１は、このように発呼可能であるが、同じ筐体に対して電話をかけるという利用価値の低い通信が生じることを防ぐことができる。これにより、操作性を向上させることができる。さらに、スマートフォン１は、発呼を行わず、通信網との通信をせずに、発信できない旨をユーザに通知するため、通信網に負荷をかけることなく、処理を実行することができる。
【００７８】
また、本実施形態のスマートフォン１は、コントローラ１０でＰＨＳ方式を用いる第１通信ユニット６Ａから３Ｇ方式を用いる第２通信ユニット６Ｂまたはその逆に電話がかからないようにすることができるため、従来の３Ｇ及びＰＨＳのシステムを改変することなく、自端末への発信処理が実行されないようにすることができる。
【００７９】
上記実施形態のスマートフォン１は、設定データ９Ｚに記憶されている自端末の電話番号と一致するかを判定したがこれに限定されない。スマートフォン１は、設定データ９Ｚに発呼動作を禁止する電話番号を記憶した発信禁止テーブル（発呼禁止テーブル）を設け、当該発信禁止テーブル（判定テーブル）の電話番号と一致するかを判定してもよい。この場合、発信禁止テーブルには、自端末の電話番号を記憶させておく。
【００８０】
スマートフォン１では、発信先の電話番号が発信元の電話番号と同一であると判定した場合、発信先の電話番号に対応する発信処理を実行しないようにしてもよい。なお、スマートフォン１は、発信動作を行っている電話番号が発信元の電話番号となる。スマートフォン１は、この場合、設定データ９Ｚに登録されている発信元の電話番号の情報を取得し発信先の電話番号が発信元の電話番号と同一であるが判定しても、発信処理のために作成されるデータに含まれる発信元の電話番号の情報を取得し、発信先の電話番号が発信元の電話番号と同一であると判定してもよい。
【００８１】
以下、図１２を用いて、処理の一例を説明する。コントローラ１０は、ステップＳ３０として、発呼操作を検出する。コントローラ１０は、ステップＳ３０で発呼操作を検出した場合、ステップＳ３２として、発呼先の電話番号を抽出する。コントローラ１０は、ステップＳ３２で電話番号を抽出したら、ステップＳ３４として、発信禁止テーブル（判定テーブル）の電話番号と比較を行う。つまり、発信禁止テーブルに記憶されている電話番号と発呼先の電話番号とを１つずつ比較する。コントローラ１０は、ステップＳ３２で比較を行ったら、ステップＳ３６として、一致する電話番号があるかを判定する。
【００８２】
コントローラ１０は、ステップＳ３６で一致する電話番号あり（Ｙｅｓ）、つまり発呼先の電話番号が発信禁止テーブルに記憶された電話番号であると判定した場合、ステップＳ３８として、発信失敗画面を表示し、本処理を終了する。つまり、コントローラ１０は、発呼先への発信動作を行わず、つまり通信網に対して信号の送信をせずに、発信失敗画面を表示して、本処理を終了する。
【００８３】
コントローラ１０は、ステップＳ３６で一致する電話番号がない（Ｎｏ）、つまり発呼先の電話番号が発信禁止テーブルに記憶された電話番号にないと判定した場合、ステップＳ４０として、通信網への発信を行い、本処理を終了する。なお、コントローラ１０は、通信網への発信を行った後、通話動作時に実行される各種制御を実行し、発呼先の通信装置で受話操作が行われたことを検出したら、発呼先との通話を開始させる。
【００８４】
図１２に示すように、発信禁止テーブルを用いて、発呼先の電話番号が自端末の電話番号であるかを判定することで、上記と同様の効果を得ることができる。また、スマートフォン１は、発信禁止テーブルを用いることで、自端末の電話番号以外の電話番号に対しても同様の処理を行うことができる。スマートフォン１は、対象の電話番号を発信禁止テーブルに記憶させることで、対象の電話番号に対する発呼操作を検出した場合、通信網に発信をせずに、発信できない旨を表示させることできる。これにより、スマートフォン１は、例えば、着信があったことを知らせたくない通信装置がある場合も、発信禁止テーブルに当該通信装置の電話番号を登録しておくことで、誤操作で発呼操作が検出されても、通信網に対象の通信装置に対する発信を行わないようにすることができる。これによりスマートフォン１は、特定の電話番号に対して、発呼ができないように設定することができる。
【００８５】
スマートフォン１は、上述したように、発信禁止テーブルに、自端末の電話番号を含む電話番号を記憶させることが好ましいがこれに限定されない。スマートフォン１は、自端末の電話番号以外の電話番号を発信禁止テーブルに記憶させるようにしてもよい。
【００８６】
スマートフォン１は、電話番号として、公衆交換電話網の番号に加え、内線電話網の番号も登録可能とすることが好ましい。そのような電話番号の例として、公衆交換電話網＊内線電話網の形式で表されるような、０７０１２３４５６７＊１２３等がある。この場合、スマートフォン１のコントローラ１０は、発呼操作で決定された発呼先の電話番号の公衆交換電話網の番号及び内線電話網の番号と、自端末の電話番号の公衆交換電話網の番号及び内線電話網の番号とが一致した場合、通信網への発信、つまり発呼操作に対応する発信処理を実行しないことが好ましい。スマートフォン１のコントローラ１０は、発呼操作で決定された発呼先の電話番号の内線電話網の番号と、通信部に割り当てられた電話番号の内線電話網の番号とが異なる場合、通信網への発信、つまり発呼操作に対応する発信処理を実行することが好ましい。このように、スマートフォンは、比較対象の電話番号に、内線電話網の番号も含めることで、公衆交換電話網の番号が同じで内線番号の異なる通信装置に電話をかけることができるようにすることができる。例えば、スマートフォン１は、代表番号には電話をかけることができ、自分の内線番号には発呼処理を行わないようにすることができる。
【００８７】
上記実施形態のスマートフォン１は、２つの通信ユニットを備え、一方の通信ユニットが他方の通信ユニットの電話番号に対して発呼された場合、通信網に発信せずにユーザに自端末への発信であることを通知することで、操作性を向上させることができる。スマートフォン１は、２つの通信ユニットを備え、一方の通信ユニットが他方の通信ユニットの電話番号に対して発呼させる場合に限定されない。スマートフォン１は、一方の通信ユニットから、当該通信ユニットの電話番号に対して発呼する場合も同様の処理を行うことで、同様の効果を得ることができる。さらに、本実施形態のスマートフォン１は、２つの通信ユニットを備える構成としたが、１つの通信ユニットのみを備える場合も同様に、自端末の電話番号であると判定した場合、通信網に発信しないことで上記実施形態と同様の効果を得ることができる。
【００８８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００８９】
例えば、図５に示した各プログラムは、複数のモジュールに分割されていてもよい。あるいは、図５に示した各プログラムは、他のプログラムと結合されていてもよい。
【００９０】
上記の実施形態では、タッチスクリーンを備える装置の一例として、スマートフォンについて説明したが、添付の請求項に係る通信装置は、スマートフォンに限定されない。添付の請求項に係る通信装置は、複数の通信部を備えていれば、スマートフォン以外の携帯通信装置であってもよい。携帯通信機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る通信装置は、据え置き型の通信装置であってもよい。据え置き型の通信装置は、例えば、デスクトップパソコン、及びテレビ受像器である。
【符号の説明】
【００９１】
１  スマートフォン
２  タッチスクリーンディスプレイ
２Ａ  ディスプレイ
２Ｂ  タッチスクリーン
３  ボタン
４  照度センサ
５  近接センサ
６Ａ  第１通信ユニット
６Ｂ  第２通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｅ  音楽プレイヤーアプリケーション
９Ｆ  カレンダーアプリケーション
９Ｇ  計算機アプリケーション
９Ｚ  設定データ
１０  コントローラ
１１  スピーカ
１２，１３  カメラ
１４  コネクタ
１５  加速度センサ
１６  方位センサ
１７  ジャイロスコープ
１８  発光部
１９  バイブレータ
２０  ハウジング
４０  ホーム画面
４５  通話設定インターフェース
４６，４７  ユーザーインターフェース
５０  アイコン
【図１】
2013243612.tif 000003
【図２】
2013243612.tif 000004
【図３】
2013243612.tif 000005
【図４】
2013243612.tif 000006
【図５】
2013243612.tif 000007
【図６】
2013243612.tif 000008
【図７】
2013243612.tif 000009
【図８】
2013243612.tif 000010
【図９】
2013243612.tif 000011
【図１０】
2013243612.tif 000012
【図１１】
2013243612.tif 000013
【図１２】
2013243612.tif 000014